(57)【特許請求の範囲】
【請求項１】
公共輸送機関の座席の、部分的には上において及び部分的には前において幼児の休息場所を確立する装置であって、トランクボックス（３）と裏返し可能なスーツケース蓋（４）とを備えるスーツケースの形態を有する、前記装置において、
前記スーツケース蓋（４）は第１の位置においては閉じられて、輸送のために配置されており、
前記スーツケース蓋（４）は別の使用準備ができた位置においては、前記第１の位置に比較して上下反対にされて、前記トランクボックス（３）内に配置された特定の取り付け機構（８ａ、８ｂ；１８ａ、１８ｂ）によって前記トランクボックス（３）の上方に取り付けられており、使用のための準備ができた位置において上を向いている前記スーツケース蓋の側は実質的に平坦であり、これによりベッド底部として機能するように配置されている、ことを特徴とする装置。
【請求項２】
前記使用準備ができた位置における前記スーツケース蓋（４）は、前記取り付け機構を用いて固定されていてもよい、請求項１に記載の装置。
【請求項３】
前記取り付け機構は、前記スーツケース蓋（４）に取り付けられる少なくとも２つの鉛直棒（８ａ、８ｂ）を備える、請求項１又は請求項２に記載の装置。
【請求項４】
前記少なくとも２つの鉛直棒（８ａ、８ｂ）は、前記スーツケース蓋（４）の使用準備ができた位置において前記スーツケース蓋（４）に貫入している、請求項３に記載の装置。
【請求項５】
前記取り付け機構は、少なくとも２つの伸縮可能なクロスブレーシングのユニット（１８ａ、１８ｂ）を備える、請求項１又は請求項２に記載の装置。
【請求項６】
使用準備ができた位置における前記スーツケース蓋（４）は高さ調節可能である、請求項１〜請求項５のいずれか一項に記載の装置。
【請求項７】
前記装置は車輪（１、２）を装備する、請求項１〜請求項６のいずれか一項に記載の装置。
【請求項８】
前記装置は４つの車輪（１、２）を備える、請求項７に記載の装置。
【請求項９】
少なくとも１つの車輪はロック可能である、請求項７又は請求項８に記載の装置。
【請求項１０】
前記装置は、スーツケース蓋（４）をセットアップした状態でスーツケース蓋（４）の平坦な面及び座席クッションの全体にわたって広げることのできるマットレス（９）を有する、請求項１〜請求項９のいずれか一項に記載の装置。
【請求項１１】
公共輸送機関の座席の、部分的には上において及び部分的には前において幼児の休息場所を確立する方法において、請求項１によって規定される装置を２つの座席（１１）の間に位置付け、前記スーツケース蓋（４）を前記使用準備ができた位置に配置する、ことを特徴とする方法。
【請求項１２】
前記スーツケース蓋は、前記使用準備ができた位置において固定されている、請求項１１に記載の方法。
【請求項１３】
前記スーツケース蓋（４）の高さは、前記スーツケース蓋（４）が位置付けられる座席（１１）の高さに従って調節される、請求項１１又は請求項１２に記載の方法。
【発明の詳細な説明】
【技術分野】
【０００１】
ここに提示する発明は、請求項１の前提部分で指定されているような、飛行機、列車、及びバスなどの様々な公共輸送手段に乗っている幼児の休息場所を確立する装置に関する。別の態様によれば、本発明は、請求項１１の前提部分で指定されているような、装置の使用方法を取り扱う。
【背景技術】
【０００２】
飛行機での旅行は多くの人々にとってますます普通のものになりつつある。多くの人々は幼児と一緒に旅行し、これが場合によっては問題となることがある。２歳未満の子供は、国際航空旅行規則（ｉｎｔｅｒｎａｔｉｏｎａｌ  ａｉｒ  ｔｒａｖｅｌ  ｒｅｇｕｌａｔｉｏｎｓ）によれば幼児として扱われ、離陸及び着陸の間は大人の膝の上に着座しなければならない。２歳以上の子供は自分の座席に座らなければならない。しかしこれらの子供にとって、長時間の飛行に際して良好な休息場所を得ることは困難である。いくつかの外国の航空会社では、いわゆる「スカイコッツ（ｓｋｙ−ｃｏｔｓ）」を長時間の飛行のために提供しているが、これらは入手困難である。この目的のために使用可能なハンモックスタイルの幼児ベッド、フライベイビー（ＦｌｙＢａｂｙ）も存在する。しかしこれらの両方の解決法は、子供が９か月〜１２か月を超えて大きくなるとほとんど役に立たなくなる。これは不都合である。遠くに旅行する場合に多くの人々が次にすることは、２歳未満の子供のために別個の座席を購入して、飛行中に彼らの子供がその座席で横になって眠ることができるようにすることである。ほとんどの飛行機では背もたれを十分に後ろに倒すことができないため、子供は結局座席クッションの上で眠ることになり、これはあまり十分な又は快適な眠りではない。可能な別の選択肢は、チャイルドシートを子供のために持参し、これを機内で使用することである。これは最適な解決法ではなく、なぜならセキュリティなどを通るためには、チャイルドシートは大きくて運びにくいからである。乳児が眠る必要がある場合に航空機座席の前の床の上に寝かせることを選ぶ人もいるが、床の上は通常、コールドドラフトがありかつ汚れているため、あまり良い解決法ではない。また、子供を十分に監視することもできない。
【０００３】
携帯型休息装置は、ＣＮ２０１３２０３８２２９５号明細書、ベルギー特許第３７３８６３号明細書、米国特許出願公開第２０１２／０２２２８３１号明細書、及び英国特許出願公開第２１９７２０７号明細書などのいくつかの文献から公知である。これらのうちのいくつかは明らかに、旅行時に携行するのに便利なスーツケースの形状を、収縮した状態において有するが、しかしこれらのうちのいずれも、非常に限られた空間しか利用できない航空機などの公共輸送機関における使用のためには適合されていないか又は適していない。
【先行技術文献】
【特許文献】
【０００４】
【特許文献１】ＣＮ２０１３２０３８２２９５号明細書
【特許文献２】ベルギー特許第３７３８６３号明細書
【特許文献３】米国特許出願公開第２０１２／０２２２８３１号明細書
【特許文献４】英国特許出願公開第２１９７２０７号明細書
【発明の概要】
【発明が解決しようとする課題】
【０００５】
本発明の目的は、航空機及び場合によってはその他の公共輸送手段における輸送の間に幼い子供が休息を得る可能性を高める装置を提供することである。
【０００６】
更なる目的は、各乗客が必要な機器を携行する機会を有するような単純な手段によってこれを行うことである。
【課題を解決するための手段】
【０００７】
上記の目的は、請求項１によって規定されるような装置の形態で本発明により達成される。更なる態様によれば、本発明は請求項１１において規定される方法に関する。好ましい実施形態は従属請求項によって開示される。
【０００８】
以下の記載では、航空機の利用に関連して本発明について説明及び例示するが、当業者は、列車、バス、あるタイプのボート、フェリー、又は船などの利用に際しても同じ原理が使用され得ることを理解するであろう。
【０００９】
本発明の装置は、ユニークな裏返しできるスーツケース蓋を用いて必要性を非常に容易に解決するものである。スーツケース蓋の底とトランクボックスとを航空機座席と組み合わせることにより、背もたれから背もたれに至る子供ベッドが航空機座席の列の間に作られる。本発明は、旅行用品を格納するためにも使用でき、また、子供が乗ることができるスーツケースとしても使用可能である。これは長距離を有する空港の場合に便利であり、なぜなら子供がスーツケースの上に座り、脚で蹴って押し進めることができるからである。大人がこれを引っ張ることも可能である。これはセキュリティチェックを問題なく通り抜けることができ、不使用時は航空機座席の下に、又は頭上のコンパートメント内に収納することが容易に可能である。これは手荷物についての航空業界の標準的な測定値以内である。本発明の意図は、約３歳までの子供と共に旅行する人々が、空いている航空機座席内でスーツケースベッド機能を使用して、子供が快適に横になることができるようにするということである。本発明は、他のスーツケースと同様に、物を格納するためにも使用可能である。従ってこれは、旅行中に子供の手荷物となることが当然期待される。これはまた、航空機座席の前に置き、３〜６歳の子供のための足置き台として使用することも可能である。
【００１０】
本発明は主として飛行機での旅行のために設計されているが、例えば列車などの、乗客が列をなして座る同様の状況においても使用可能である。
【００１１】
本発明の更なる詳細
本発明は本質的に、ユニークに設計された蓋を有する車輪付きスーツケースである。蓋は回転されること、及びトランクボックスの上で様々な高さに調節されることが可能であり、飛行機座席上の座席クッションの前で水平面を作る。付随するマットレスが、蓋と航空機座席の座席クッションとの上に置かれ、これらは一緒に、背もたれから背もたれまで延在する水平面を２つの航空機座席の列の間に作る。スーツケース蓋は、航空機座席の前で床の上に立っているトランクボックス内で固定される。トランクボックスは一般に、変位を防止するロック可能な車輪を有し、少なくとも１つの車輪はロック可能でなければならない。トランクボックス及びスーツケース蓋の両方は、比較的硬い材料からなる。
【００１２】
本発明のユニークな点は、スーツケース蓋の機能である。蓋の上側は、子供にとってスーツケースの上に座ること及び乗ることが快適であるように、好ましくは丸味を帯びている。スーツケース蓋の下側は平坦であり、この側は、ベッド機能を使用する場合に上向きになる。以下で述べる使用準備ができた位置において、スーツケース蓋は裏返されており、トランクボックスに取り付けられていることが可能である。「使用準備ができた」位置とは、休息場所又はベッドとして使用するための準備ができていることを意味する。本発明を子供のベッドとして使用するために、スーツケースは乗客座席の前の床の上に設置される。次に、ユニークな蓋が持ち上げられ、回転されて、平坦な下面が上向きになる。蓋の平坦な面が航空機座席の座席クッションの高さにおけるものとなるように、蓋は所望の高さに調節される。次に、巻かれたマットレスが蓋及び座席クッションの上に転がして広げられ、それらが一緒に水平なベッドを作る。
【００１３】
以下の記載では、本発明について添付の図面を参照して説明する。
【図面の簡単な説明】
【００１４】
【図１】閉位置における本発明による装置の実施形態を斜視図で示す。
【図２】使用準備ができた位置における図１の装置の斜視図を示す。
【図３】本発明による装置の代替の実施形態を端面図で示す。
【図４】図２ａと基本的に同じであるが追加の機器を有する図を示す。
【図５】乗客座席であって、使用準備ができた位置における本発明による装置の実施形態がその中に設置された、乗客座席を示す。
【発明を実施するための形態】
【００１５】
図１は本発明を示し、これは外観上は４つの車輪を有する車輪付きスーツケースである。前輪１は、転動時に方向を制御できるようにするスイベルを有し、後輪２は固定された向きを有する。このスーツケースはトランクボックス３とスーツケース蓋４とを含む。図示された実施形態では、スーツケース蓋４はハンドル５ａ、５ｂと、２つの貫通孔６ａ、６ｂとを有する。トランクボックス３の各側では、実質的に鉛直の棒８ａ、８ｂが内部に配置されてもよい。これらは、その孔６ａ、６ｂのそれぞれに貫入するように適合される。これは、使用準備ができた位置におけるスーツケース蓋４の高さ調節を可能にするためである。スーツケース蓋４は、スーツケース蓋４の短面上の２つのバネ式ロッキングボタン７を押すことによって上げ下げされる。鉛直棒８ａ、８ｂは、場合によってはトランクボックス３内への調節可能な搭載を伴って恒久的であってもよく、又はトランクボックス３は、蓋が開けられた後で棒が嵌入し設置される内部リセスを備えてもよい。
【００１６】
図２は、スーツケース蓋４が反転された状態の本発明を示し、これは、スーツケース蓋が第１の位置に比べて水平軸の周りを１８０度回転されることを意味する。この場合、スーツケース蓋４の平坦な下面が上向きにされ、この下面は平らであるか又は実質的に平面である。スーツケース蓋４は、ロックボタン７を解除すると有効になる固定を使用して２つの鉛直棒８ａ、８ｂにロックされる。スーツケース蓋４内の貫通孔６ａ、６ｂにより、スーツケース蓋４は平坦な面を上及び下のいずれにした状態でも使用されることが可能となる。使用準備ができた位置において、鉛直棒８ａ、８ｂはスーツケース蓋４に貫入している。
【００１７】
図３は、図１及び図２に示す棒８ａ、８ｂ及びカスタム孔６ａ、６ｂの組み合わせの、代替の取り付け機構を有する本発明による装置を概略的に非常に単純化して示す。この代替形態は、ロッキングボルト１９を用いて意図的にロックすることが可能な伸縮可能な交差する支柱をそれぞれが含む取り付け機構１８ａ、１８ｂからなる。下側の横ビーム１６がスーツケース内に取り付けられてもよく、上側の横ビーム１７がスーツケース蓋内のリセスと共に働くように適合されてもよい。棒８ａ、８ｂのそれぞれと同様に、１つのそのような固定機構１８ａがスーツケースの一方の端において存在し、別の取り付け機構１８ｂが反対側の端において存在するということが理解されるべきである。固定機構１８ａ、１８ｂを所望のレベルまで引き出してそれらをロックすることによって、所望の高さ調節が達成される。
【００１８】
前記取り付け機構は、それが鉛直棒８ａ、８ｂ又は伸縮可能なクロスブレーシング１８ａ、１８ｂのいずれを含む場合でも、蓋の実質的平面の側が上向きになっている場合にのみスーツケース蓋４と共に働き、それにより装置の使用のための準備ができることを上記で説明した。しかし、閉位置にある蓋とも協働する取り付け機構（図示せず）の確立も、非常に良好に行われ得る。しかし、蓋は従来のラッチを用いて閉位置に保持される可能性がより高い。
【００１９】
当業者は、高さ調節のためのその他の可能性も本発明の範囲内に存在することを理解するであろう。スーツケース蓋の高さ調節の別の方法の例は、電動の電池式モータを用いたアクチュエータ及び／又は高さ調節の使用である。
【００２０】
図４は、マットレス９を上に有する本発明を示す。マットレス９は丸く巻くことが可能であり、乳児が転がり出るのを防止するのに適した側壁１０ａ、１０ｂと共に示されている。この図では、スーツケース蓋４は、スーツケース蓋４の短面上のロックボタン７内のラッチを使用して鉛直棒８ａ、８ｂ上の所定の位置に固定されている。
【００２１】
図５は、使用準備ができた位置における、航空機座席１１の前にある本発明を示す。本発明による装置は、ここでは窓１２に近い一番奥の航空機座席においてセットアップされている。マットレス９は、スーツケース蓋４の平坦な面の全体にわたって、及び本発明による装置がその前に設置された航空機座席１１上の座席クッションの全体にもわたって、転がして広げられる。車輪１は、横変位を防止するために所定の位置にロックされる。
【図１】
0006718438.tif 000002
【図２】
0006718438.tif 000003
【図３】
0006718438.tif 000004
【図４】
0006718438.tif 000005
【図５】
0006718438.tif 000006